(57)【要約】【課題】複雑となる回転機構等を用いずに簡単な構成で、主灯不良時の予備灯への点灯切替えを良好に行う。【解決手段】照明光を出力する主灯１９又はこの主灯光路１００の外周に、主灯よりも大きさ及び発光強度の小さい発光ダイオード又は小型ランプからなる複数の予備灯２８を固定状態で配置し、主灯１９が点灯不良を起こしたときにこの予備灯２８を点灯させるようにしたので、回転機構等の複雑となる構成を用いずに、予備灯２８への点灯切替えを良好に行うことができる。なお、この複数の予備灯２８の代わりに、リング状蛍光灯を配置してもよい。【選択図】  図１
2004248870.tif 000002
【特許請求の範囲】
【請求項１】
照明光を出力する主灯と、
この主灯又はこの主灯光路の外周に固定状態で配置され、主灯よりも発光強度の小さい複数の予備灯と、
上記主灯の点灯不良が生じたとき上記予備灯を点灯制御する制御回路とから構成してなる光源装置。
【請求項２】
上記の予備灯として発光ダイオードを用いたことを特徴とする上記請求項１記載の光源装置。
【請求項３】
上記複数の予備灯の代わりに、リング状に形成された蛍光灯を配置したことを特徴とする上記請求項１記載の光源装置。
【発明の詳細な説明】
【０００１】
【発明の属する技術分野】
本発明は光源装置、特に内視鏡装置のための照明光を出力する光源として用いられ、主灯及び予備灯を備える場合の構成に関する。
【０００２】
【従来の技術】
医療分野等で用いられる内視鏡装置（又は電子内視鏡装置）等では、照明光を得るために光源装置が用いられており、この光源装置の出力光をライトガイドによってスコープ（内視鏡）の先端部へ導き、この先端部から照明光を照射することにより被観察体が観察される。
【０００３】
図５には、このような光源装置の一例が示されており、図示の集光レンズ１はスコープ側ライトガイドへ光学的に接続され、この集光レンズ１の後側には、絞り部材２、予備灯ターレット３を介して主灯４が配置される。上記予備灯ターレット３は、予備灯５と光路用開口６を有し、回転軸３ａを中心として回転するように構成される。上記主灯４と予備灯５としては、ハロゲンランプやキセノンランプが用いられ、これらには主灯用点灯回路８、予備灯用点灯回路９が接続される。
【０００４】
一方、上記絞り部材２には絞り駆動モータ１０及び絞り位置を検出する位置検出器１１が設けられ、上記予備灯ターレット３には予備灯駆動モータ１２が設けられており、これらは駆動部１３及び駆動部電源回路１４によって駆動される。更に、全体の統括制御を行うと共に、主灯４が切れたとき等に予備灯５を点灯制御するためにマイコン回路１５が設けられている。
【０００５】
上記の光源装置の構成によれば、通常は主灯４の点灯光は絞り部材２及び集光レンズ１を通って出力され、この光がライトガイドを介してスコープ先端から被観察体へ照明光として照射される。そして、この主灯４が寿命等によって球切れした場合には、その状態が主灯用点灯回路８からマイコン１５へ伝達されることになり、このマイコン１５は駆動部１３に対し予備灯ターレット３を回転駆動する指令を出すと共に、予備灯用点灯回路９に予備灯点灯の指令を出力する。この結果、点灯した予備灯５が絞り部材２の光路域の後側へ配置され、この予備灯５の光が出力されることになる。なお、二つのランプを用いて光量制御をする従来例として、特開平６−３２７６３０号公報に示されるものがある。
【０００６】
【特許文献１】
特開平６−３２７６３０号公報
【０００７】
【発明が解決しようとする課題】
しかしながら、従来の光源装置では、上述のように予備灯５の点灯のための予備灯ターレット３やモータ１２等の機械的な回転機構が必要であり、この回転機構はある程度の精度が要求されることもあって構成的に複雑となり、光源装置の大型化や製作コストの増加に繋がるというという問題があった。
【０００８】
本発明は上記問題点に鑑みてなされたものであり、その目的は、複雑となる回転機構等を用いずに簡単な構成で、主灯不良時の予備灯への点灯切替えを良好に行うことができる光源装置を提供することにある。
【０００９】
【課題を解決するための手段】
上記目的を達成するために、請求項１の発明に係る光源装置は、照明光を出力する主灯と、この主灯又はこの主灯光路の外周に固定状態で配置され、主灯よりも発光強度の小さい複数の予備灯（大きさも小さくなる）と、上記主灯の点灯不良が生じたとき上記予備灯を点灯制御する制御回路とから構成してなることを特徴とする。
請求項２に係る発明は、上記の予備灯として発光ダイオードを用いたことを特徴とする。
請求項３に係る発明は、上記複数の予備灯の代わりに、リング状に形成された蛍光灯を配置したことを特徴とする。
【００１０】
上記の構成によれば、主灯の外周又は主灯光路の外周に、発光ダイオード又は小型ランプ等の複数の予備灯が円環状に配置固定され、これらの予備灯は、その光線が主灯光路の中心（光軸）へ向かうように配置される。そして、この複数の予備灯は、主灯が玉切れ等の不良を起こしたときに制御回路によって点灯される。この予備灯は、被観察体観察に十分な光強度の主灯と同等の発光強度を持つように多数、設けてもよいが、全体で主灯に比べて低い強度とし、主灯の玉切れ時に被観察体内からスコープを安全に抜き取ることができる程度とすることができる。即ち、予備灯には予備としての必要最低限の役目をさせることにより、予備灯の回転機構等をなくしてその構成を簡略化することが可能となる。
【００１１】
【発明の実施の形態】
図１及び図２には、第１実施例に係る光源装置の構成が示されており、図示されるように、スコープ側ライトガイドへ光学的に接続される集光レンズ１７、絞り部材１８、ハロゲンランプやキセノンランプからなる主灯１９、主灯用点灯回路２０が設けられる。上記の絞り部材１８には、絞り駆動モータ２１及び絞り位置を検出する位置検出器２２が設けられ、これらに接続する形で絞り駆動部２３と駆動部電源回路２４が配置される。
【００１２】
そして、上記絞り部材１８と主灯１９との間に、予備灯保持板２７が配置され、この保持板２７に例えば６個（この数は任意）の予備灯２８が取り付けられる。図２（Ａ），（Ｂ）には、この保持板２７及び予備灯２８の構成が示されており、保持板２７には、主灯１９の光路を確保する開口２７ａが形成されており、この開口２７ａの周囲に均等間隔で、発光ダイオード（ＬＥＤ）からなる予備灯２８が取り付けられる。この予備灯２８は、図２（Ｂ）に示されるように、反射コート等を施した取付け孔２７ｂに、その先端が主灯光路１００を向くように斜めに取り付けられており、これによって予備灯２８の光が出力光路１００の領域に集光するようになっている。
【００１３】
上記予備灯２８には、予備灯点灯回路２９が接続され、またこの予備灯点灯回路２９を含む装置内回路を統括制御すると共に、主灯１９の点灯不良時に予備灯２８を点灯制御するためにマイコン回路３０が設けられる。なお、上記の主灯点灯回路２０、駆動部電源回路２４及び予備灯点灯回路２９には、ＡＣ電源が供給される。
【００１４】
第１実施例は以上の構成からなり、主灯１９は主灯用点灯回路２０で点灯され、この光が絞り部材１８及び集光レンズ１７を介して出力される。この光源装置が内視鏡に接続される場合は、出力光はライトガイドによってスコープ先端へ導かれ、このスコープ先端から照射されることにより被観察体が照明される。一方、上記主灯用点灯回路２０は、上記主灯１９が寿命或いは故障等によって切れたり、その他の原因で減光状態となったりする状態を検知しており、このような不良状態の検知信号はマイコン３０へ伝達される。
【００１５】
そして、このマイコン３０は主灯１９の不良状態を判定すると、予備灯用点灯回路２９へ予備灯点灯の指令を出力することになり、これによって６個の予備灯２８が点灯する。これらの予備灯２８は、図２（Ｂ）で説明したように、主灯光路と同一となる所定光路１００を向くように斜めに配置されているので、予備灯２８の光は所定光路１００に沿って良好に出力されることになる。なお、この予備灯２８では、全体で必ずしも観察に十分な主灯１９の発光強度（最大出力光量）を確保する必要はなく、少なくとも主灯１９の点灯不良時にスコープを被観察体内から抜き出すのに必要な光量を確保すればよいことになる。
【００１６】
図３には、本発明の第２実施例の構成が示されている。図３に示されるように、この第２実施例では主灯光路用開口３０ａを形成した球面状の保持板３１を用い、この保持板３１においてその内面に反射コート３２を形成し、かつ第１実施例と同様に上記開口３１ａの周囲に均等間隔で６個の発光ダイオードからなる予備灯２８を取り付ける。このような第２実施例によれば、６個の予備灯２８の光を球面状保持板３１の反射コート３２によって所定光路（主灯１９と同一の光路）１００に集光させ、光源装置から出力させることができる。
【００１７】
図４には、本発明の第３実施例の構成が示されている。図４に示されるように、この第３実施例では、主灯光路用開口３３ａを形成した環状の保持板３３において、その前側にリング状蛍光灯からなる予備灯３４を取付け金具３５で取り付ける。このような第３実施例によっても、予備灯３４であるリング状蛍光灯の光を出力し利用することができる。
【００１８】
上記実施例では、予備灯２８（３４）を主灯１９と絞り部材１８の間に配置した例を示したが、この予備灯２８，３４は、主灯１９自体の外周又は絞り部材１８の外周に保持部材によって取り付けてもよいし、また絞り部材１８と集光レンズ１７との間に配置してもよい。更に、予備灯２８としては発光ダイオードの代わりに、主灯ランプよりも発光強度の小さい小型ランプを用いてもよく、これら予備灯２８の全体の発光強度は、少なくともスコープを被観察体内から取り出すのに必要な程度の発光強度があればよい。
【００１９】
【発明の効果】
以上説明したように、本発明によれば、照明光を出力する主灯又はこの主灯光路の外周に、主灯よりも大きさ及び発光強度の小さい複数の予備灯、例えば発光ダイオードを固定状態で配置し、主灯の点灯不良が生じたときにはこの予備灯を点灯制御するようにしたので、回転機構等の複雑となる構成を用いずに、簡単な構成で主灯から予備灯への切替えを行うことができ、製作コストの削減を図ることが可能になる。
【図面の簡単な説明】
【図１】本発明の第１実施例に係る光源装置の全体構成を示す図である。
【図２】実施例の予備灯及び保持板の構成を示し、図（Ａ）は正面図、図（Ｂ）は側面断面図である。
【図３】第２実施例の予備灯及び保持板の構成を示す側面断面図である。
【図４】第３実施例の予備灯及び保持板の構成を示す正面図である。
【図５】従来の光源装置の全体構成を示す図である。
【符号の説明】
２，１８…絞り部材、      ４，１９…主灯、
５，２８，３４…予備灯、
８，２０…主灯用点灯回路、
９，２９…予備灯用点灯回路、
１５，３０…マイコン、
２７，３１，３３…保持板、
２７ａ，３１ａ，３３ａ…開口、
３２…反射コート。
【図１】
2004248870.tif 000003
【図２】
2004248870.tif 000004
【図３】
2004248870.tif 000005
【図４】
2004248870.tif 000006
【図５】
2004248870.tif 000007